(57)【要約】【課題】簡単な構成でディスク検知機構の損傷を防止できる「ディスク装置」の提供。【解決手段】ガイドトップ５の前面に検知ピン２０を挟んで枠体１の前面板と対向するガイド部５ａを突設し、このガイド部５ａを検知ピン２０の自由端部と隙間Ｇを存して対向する傾斜辺として形成した。これにより、ディスクＤをディスク挿入口１ａの中央部に対して左右方向へずらして挿入したとき、ディスク挿入力を受けた検知ピン２０が撓み変形してガイド部５ａの傾斜辺に圧接されることで、検知ピン２０に対してディスク挿入口１ａの幅方向中央から離れる方向への分力が付与され、この分力によって検知レバー１６を初期位置から動作位置に向かってスムーズに回転させることができる。【選択図】図７
2015115086.tif 000002
【特許請求の範囲】
【請求項１】
前面に横長形状のディスク挿入口が設けられた機器本体と、この機器本体の内部に初期位置と動作位置との間を移動可能に配設されたレバー部材と、このレバー部材に片持ち梁状に支持されて前記ディスク挿入口の内側に位置する検知ピンと、前記レバー部材を初期位置に向けて付勢する付勢部材とを備え、前記検知ピンがディスクの外周縁に当接して前記ディスク挿入口の幅方向中央から離れる方向へ押圧されることにより、前記レバー部材が初期位置と動作位置との間を移動して前記機器本体に対するディスクの挿入および／または排出を検知するようにしたディスク装置において、
前記機器本体の内部に前記検知ピンを挟んで前記機器本体の前面と対向するガイド部が設けられていると共に、このガイド部が前記検知ピンの自由端部と隙間を存して対向する傾斜辺として形成されており、
前記検知ピンが前記レバー部材の初期位置でディスクから所定以上の押圧力を受けて前記ガイド部の前記傾斜辺に圧接されたときに、該検知ピンに対して前記ディスク挿入口の幅方向中央から離れる方向への分力が付与されるようにしたことを特徴とするディスク装置。
【請求項２】
請求項１の記載において、前記ディスク挿入口の内側にディスクを前記機器本体の内外へ搬送する搬送ローラが配設されると共に、この搬送ローラとの間でディスクを挟持する挟持部材が設けられており、この挟持部材に前記ガイド部が一体形成されていることを特徴とするディスク装置。
【発明の詳細な説明】
【技術分野】
【０００１】
本発明は、ディスク挿入口から挿入されたディスクを機器本体の内部に搬送して再生動作等を行うようにしたディスク装置に係り、特に、ディスクの挿入および／または排出を検知するディスク検知機構に関するものである。
【背景技術】
【０００２】
ＣＤやＤＶＤ等のディスクを装填して使用される車載用ディスク装置は、前面に横長形状のディスク挿入口を有する機器本体と、ディスクをディスク挿入口とプレイ位置との間で自動搬送する搬送機構と、ディスクをプレイ位置でチャッキングして回転駆動するドライブ機構と、ディスクの挿入および／または排出を検知するディスク検知機構等を備えている（例えば、特許文献１参照）。
【０００３】
搬送機構は、搬送ローラを支持するローラブラケットと、この搬送ローラとの間でディスクを挟持するガイドトップ（挟持部材）等を備えており、ローラブラケットはスプリングの弾発力によって搬送ローラをガイドトップの下面に近接する方向へ付勢されている。
【０００４】
ドライブ機構は、モータを駆動源として回転するターンテーブルと、ディスクをターンテーブルとの間でチャッキングするクランパと、ディスクに対して情報を記録および／または再生する光ピックアップ等を備えており、光ピックアップはディスクの半径方向へ移動可能となっている。
【０００５】
ディスク検知機構は、図１５に示すように、機器本体の上面または下面側に固定された支持板１００と、支持板１００に支軸１０１を介して回転可能に支持された一対の検知レバー１０２と、各検知レバー１０２の先端側に立設された一対の検知ピン１０３と、これら検知ピン１０３が互いに近接する方向へ検知レバー１０２を付勢する一対のスプリング１０４と、検知レバー１０２の回転によってオン／オフ動作される図示せぬ検知スイッチ等を備えており、両検知ピン１０３はディスク挿入口の内側に位置している。
【０００６】
このように概略構成されたディスク装置において、ディスクが機器本体に装填されていないイジェクト状態では、図１５に示すように、一対の検知レバー１０２はスプリング１０４からの引張力を受けて初期位置で停止しており、両検知ピン１０３の間隔は最小距離Ｌに保たれている。この状態でディスクＤをディスク挿入口から機器本体内に挿入すると、ディスクＤの外周縁が両検知ピン１０３に当接することにより、これら検知ピン１０３が外側（破線で示す矢印方向）へ押し広げられるため、両検知レバー１０２が支軸１０１を中心に初期位置から動作位置へ向かって回転する。その結果、検知レバー１０２の回転によって検知スイッチがオン動作し、この動作信号に基づいて搬送ローラが一方向へ回転するため、ディスクＤが搬送ローラとガイドトップとの間に挟持されながらプレイ位置へと搬送され、このプレイ位置で光ピックアップによってディスクＤの再生動作が行われる。なお、かかるディスクＤの搬送中に両検知ピン１０３の間隔は次第に広がっていくが、両検知ピン１０３を結ぶ直線上にディスクＤの直径が位置したときに両検知ピン１０３の間隔は最大となり、その後は次第に狭まって再び最小距離Ｌとなる。
【０００７】
また、ディスクＤがプレイ位置にあるときにイジェクト釦を操作すると、ディスクＤのチャッキングが解除されると共に、搬送ローラが上記と逆方向へ回転駆動されるため、ディスクＤが搬送ローラとガイドトップとの間に挟持されながらディスク挿入口に向かって搬送される。そして、ディスクＤの大部分がディスク挿入口から突出する位置まで搬送されると、前述した検知スイッチの動作信号に基づいて搬送ローラの回転が停止し、ユーザはディスクＤに指をかけることで機器本体から取り出すことができる。
【先行技術文献】
【特許文献】
【０００８】
【特許文献１】特開２００３−２２８９０３号公報
【発明の概要】
【発明が解決しようとする課題】
【０００９】
ところで、前述のごとく構成された従来のディスク装置において、ディスクをディスク挿入口の中央部に対して左右方向へずらして挿入した場合や、ディスクをディスク挿入口に勢い良く挿入した場合に、ディスクから検知ピンに作用する押圧力によって、検知ピンを支持する検知レバーが変形したり破損する虞がある。
【００１０】
そこで従来より、検知ピンに円筒状の樹脂ローラを回転可能に軸支することで、ディスクと検知ピン間に生じる摩擦力を低減するという技術が知られているが、この場合、樹脂ローラを追加することによって部品点数が増加してしまい、部品コストの高騰や組立性の悪化を招くという問題があった。また、検知レバーを介して支持板と対向する別部材に円弧状のガイド溝を形成し、このガイド溝に検知ピンの先端部を摺動可能に係合することによって、検知ピンの剛性を高めるという技術も知られているが、この場合、各部品どうしの組立誤差等に起因して検知ピンとガイド溝間に大きな摩擦力を生じる虞があるため、ばね荷重の大きなスプリングを用いて検知レバーを初期位置に付勢する必要があり、それに伴ってディスクを挿入する際のフィーリングが悪化してしまうという問題があった。
【００１１】
本発明は、このような従来技術の実情に鑑みてなされたもので、その目的は、簡単な構成でディスク検知機構の損傷を防止できるディスク装置を提供することにある。
【課題を解決するための手段】
【００１２】
上記の目的を達成するために、本発明は、前面に横長形状のディスク挿入口が設けられた機器本体と、この機器本体の内部に初期位置と動作位置との間を移動可能に配設されたレバー部材と、このレバー部材に片持ち梁状に支持されて前記ディスク挿入口の内側に位置する検知ピンと、前記レバー部材を初期位置に向けて付勢する付勢部材とを備え、前記検知ピンがディスクの外周縁に当接して前記ディスク挿入口の幅方向中央から離れる方向へ押圧されることにより、前記レバー部材が初期位置と動作位置との間を移動して前記機器本体に対するディスクの挿入および／または排出を検知するようにしたディスク装置において、前記機器本体の内部に前記検知ピンを挟んで前記機器本体の前面と対向するガイド部が設けられていると共に、このガイド部が前記検知ピンの自由端部と隙間を存して対向する傾斜辺として形成されており、前記検知ピンが前記レバー部材の初期位置でディスクから所定以上の押圧力を受けて前記ガイド部の前記傾斜辺に圧接されたときに、該検知ピンに対して前記ディスク挿入口の幅方向中央から離れる方向への分力が付与されるように構成した。
【００１３】
このように構成されたディスク装置では、ディスクをディスク挿入口の中央部に対して左右方向へずらして挿入した場合や、ディスクを勢い良くディスク挿入口に挿入した場合等に、ディスク挿入力を受けた検知ピンが隙間内を撓み変形してガイド部の傾斜辺に圧接されると、該検知ピンに対してディスク挿入口の幅方向中央から離れる方向への分力が付与されるため、その分力によってレバー部材を初期位置から動作位置に向かってスムーズに移動することができ、レバー部材の変形や破損を防止することができる。なお、ディスクをディスク挿入口の中央付近から挿入した場合、検知ピンはディスクの外周縁に当接してディスク挿入口の幅方向中央から離れる方向へ押圧されるため、通常のディスク挿入時に検知ピンがガイド部に圧接されることはなく、この場合もレバー部材を初期位置から動作位置に向かってスムーズに移動することができる。
【００１４】
上記の構成において、ガイド部を有する部材は特に限定されないが、ディスク挿入口の内側にディスクを機器本体の内外へ搬送する搬送ローラが配設されると共に、この搬送ローラとの間でディスクを挟持する挟持部材が設けられており、この挟持部材にガイド部が一体形成されていると、わざわざ新たな部材を追加することなく既設の挟持部材をガイド部として利用することができる。
【発明の効果】
【００１５】
本発明のディスク装置では、検知ピンを挟んで機器本体の前面と対向するガイド部が設けられており、このガイド部が検知ピンの自由端部と隙間を存して対向する傾斜辺として形成されているため、ディスクをディスク挿入口の中央部に対して左右方向へずらして挿入したり、ディスクを勢い良くディスク挿入口に挿入したとしても、ディスク挿入力を受けた検知ピンが撓み変形してガイド部の傾斜辺に圧接されることで、検知ピンに対してディスク挿入口の幅方向中央から離れる方向への分力が付与され、レバー部材を初期位置から動作位置に向かってスムーズに移動させることができる。
【図面の簡単な説明】
【００１６】
【図１】本発明の第１実施形態例に係るディスク装置の斜視図である。
【図２】該ディスク装置の平面図である。
【図３】該ディスク装置の正面図である。
【図４】該ディスク装置の裏面図である。
【図５】該ディスク装置からトップシャーシを取り除いて示す斜視図である。
【図６】図５のVI−VI線に沿う断面図である。
【図７】該ディスク装置に備えられるディスク検知機構の要部説明図である。
【図８】該ディスク装置にディスクを通常に挿入した状態を示す平面図である。
【図９】該ディスク装置にディスクを右寄りに挿入した状態を示す平面図である。
【図１０】図９のＸ−Ｘ線に沿う断面図である。
【図１１】図７のディスク検知機構に備えられる検知ピンとガイド部の説明図である。
【図１２】本発明の第２実施形態例に係るディスク装置の要部を示す斜視図である。
【図１３】図１２に示すディスク検知機構の平面図である。
【図１４】図１２に示すディスク検知機構の背面図である。
【図１５】従来例に係るディスク検知機構の要部説明図である。
【発明を実施するための形態】
【００１７】
発明の実施の形態について図面を参照して説明すると、図１〜図６に示すように、本発明の第１実施形態例に係るディスク装置は、機器本体の外殻を形成する箱状の枠体１と、この枠体１の内部にダンパ３やコイルばね（図示せず）等の弾性部材を介して支持されたドライブユニット２を備えている。
【００１８】
枠体１の前面板には横長形状のディスク挿入口１ａが設けられており、このディスク挿入口１ａから枠体１内に対してディスクＤが挿入／排出されるようになっている。また、枠体１の上面におけるディスク挿入口１ａ側にトップシャーシ４が架設されており、このトップシャーシ４の裏面に後述する一対のガイドトップ５が取り付けられている。
【００１９】
ドライブユニット２には、ディスクＤを回転するためのターンテーブル６とその駆動源であるスピンドルモータ７や、ディスクＤから情報信号を読取るための光ピックアップ８等が搭載されている。なお、ドライブユニット２は図示せぬロック切換機構によってロック状態とアンロック状態に選択的に切り換えられ、ディスクＤのイジェクト（排出）時は枠体１に対して固定的に支持されたロック状態となり、ディスクＤのプレイ時は枠体１に弾性的に支持されたアンロック状態となる。
【００２０】
ドライブユニット２の後端部にはクランプアーム９が回転可能に支持されており、このクランプアーム９の先端部分にクランパ１０が回転自在に支持されている。クランプアーム９は図示せぬコイルばねによってドライブユニット２と常時接近する方向へ付勢されているが、ディスクＤのイジェクト時はドライブユニット２から離反して上方に待機するよう規制されている。
【００２１】
一対のガイドトップ５は高滑性樹脂の成形品からなり、これらガイドトップ５はトップシャーシ４の裏面の左右位置にねじ止め等の固定手段を用いて取り付けられている。図５と図７に示すように、右側に位置するガイドトップ５の前面側には平面視で三角形状のガイド部５ａが突出形成されており、このガイド部５ａは枠体１の前面側を頂点として右斜め後方へ延びる傾斜辺となっている。左側に位置するガイドトップ５の前面側にも平面視で三角形状のガイド部５ａが突出形成されており、このガイド部５ａは枠体１の前面側を頂点として左斜め後方へ延びる傾斜辺となっている。
【００２２】
ドライブユニット２の前端側にはローラブラケット１１が揺動可能に支持されており、このローラブラケット１１に搬送ローラ１２の両端が回転可能に軸支されている。ローラブラケット１１はスプリング１３の弾発力によって搬送ローラ１２をガイドトップ５の下面に近接する方向へ付勢されており、ディスクＤはこれら搬送ローラ１２とガイドトップ５との間に挟持された状態で搬送される。搬送ローラ１２は図示せぬモータを駆動源として正逆両方向へ回転可能であり、このモータは後述する検知スイッチ１４，１５からのオン／オフ信号によって起動・停止される。
【００２３】
ローラブラケット１１の下方には一対の検知レバー１６が配設されており、図４に示すように、これら検知レバー１６は支軸１７を中心として枠体１の底面上に回転可能に支持されている。枠体１の底面には一対のガイド孔１ｂが設けられており、検知レバー１６の裏面に突設された突起１６ａが対応するガイド孔１ｂと係合することにより、両検知レバー１６の回動角度が初期位置と動作位置との間に規制されるようになっている。また、検知レバー１６と枠体１との間には引張りばね１８が張架されており、この引張りばね１８によって一対の検知レバー１６は互いに近接する方向、すなわち、突起１６ａがガイド孔１ｂの一端部と当接する初期位置に向かって付勢されている。さらに、検知レバー１６の裏面には回路基板１９が固定されており、前述した検知スイッチ１４，１５はこの回路基板１９に実装されている。これら検知スイッチ１４，１５のうち、検知スイッチ１４は一方の検知レバー１６の回転によってオン／オフ動作され、検知スイッチ１５は他方の検知レバー１６の回転によってオン／オフ動作されるようになっている。
【００２４】
両検知レバー１６の上面先端部にはそれぞれ検知ピン２０が立設されており、これら検知ピン２０はローラブラケット１１の前方を通ってディスク挿入口１ａの内側に突出している（図１と図３参照）。検知レバー１６と検知ピン２０は一体形成された樹脂成形品であるが、別部材の検知ピン２０を検知レバー１６にかしめ等の固定手段を用いて片持ち梁状に設けるようにしても良い。検知ピン２０の上端部（自由端部）はガイドトップ５から突出するガイド部５ａの前方に位置しており、ディスクＤが機器本体に装填されていないイジェクト状態では、図７に示すように、ガイド部５ａの傾斜辺は検知ピン２０と隙間Ｇを存して対向している。
【００２５】
次に、このように構成されたディスク装置の動作について説明する。
【００２６】
ディスクＤが機器本体に装填されていないイジェクト時（待機状態）において、ドライブユニット２は枠体１に対して固定的に支持されたロック状態となっており、クランプアーム９はクランパ１０をターンテーブル６から離反させるように上方へ回動している。また、ローラブラケット１１は搬送ローラ１２を軸支する後端側が上昇した前傾姿勢となっており、搬送ローラ１２の外周面はスプリング１３のばね力を受けてガイドトップ５の下面に圧接されている（図６参照）。さらに、両検知レバー１６は引張りばね１８のばね力を受けて初期位置で停止しており、一対の検知ピン２０の間隔は最小距離に保たれている。
【００２７】
この状態でディスクＤをディスク挿入口１ａの幅方向の中央付近から枠体１内に挿入すると、図８に示すように、ディスクＤの外周縁が両検知ピン２０に当接して、これら検知ピン２０が外側へ押し広げられるため、両検知レバー１６が支軸１７を中心に初期位置から動作位置へ向かって回転する。その際、両検知ピン２０はディスクＤの挿入力を受けて外側へ移動するように押し広げられるため、検知ピン２０を支持する検知レバー１６は支軸１７を中心にスムーズに回転し、検知ピン２０がガイド部５ａの傾斜辺に接触することはない。
【００２８】
このようにディスクＤの挿入動作によって両検知レバー１６が回転すると、まず、一方の検知レバー１６によって検知スイッチ１４がオン動作し、この動作信号に基づいて図示せぬモータが始動して搬送ローラ１２を一方向へ回転するため、ディスクＤが搬送ローラと１２ガイドトップ５との間に挟持されながら枠体１の内部へ搬送される。この間、クランプアーム９とクランパ１０はドライブユニット２の上方の待機位置に保持され、ドライブユニット２はロック状態に維持されているため、ディスクＤはドライブユニット２と衝突することなくプレイ位置へと搬送される。なお、正規のディスクＤが挿入された場合は、このディスクＤが所定量だけ搬送された時点で、他方の検知レバー１６の回転によって別の検知スイッチ１５から動作信号が出力されるため、挿入されたディスクＤを正規のディスクであると判定することができる。しかるに、非円形ディスクやディスク以外の異物等を挿入した場合は、所定のタイミングで検知スイッチ１５から動作信号が出力されないため、この場合は前記モータを制御して搬送ローラ１２を他方向へ回転させれば、挿入された異物を枠体１の内部まで搬送することなく排出することができる。
【００２９】
こうしてディスクＤの中心部がターンテーブル６の真上まで搬送されると、ドライブユニット２はロック状態が解除されてアンロック状態となると共に、クランプアーム９の待機位置が解除されて下方へ回転するため、ディスクＤがターンテーブル６とクランパ１０との間にチャッキングされたプレイ状態となる。また、この動作に連動して図示せぬ切換機構がローラブラケット１１を下方へ揺動するため、搬送ローラ１２がディスクＤの下面に接触する虞のない退避位置まで下降すると共に、光ピックアップ８がディスクＤの径方向外側へ移送されて図示せぬスイッチがオン動作するため、その動作信号に基づいて搬送ローラ１２の駆動源である前記モータが停止する。なお、このプレイ状態において、スピンドルモータ７が回転駆動されると、ターンテーブル６とディスクＤおよびクランパ１０が一体的に回転し、ディスクＤの半径方向へ移送される光ピックアップ８によって情報の記録および／または再生動作が行われる。
【００３０】
また、ディスクＤを機器本体から外部に排出する場合は、図示せぬイジェクト釦を操作すると、上記と逆の動作が行われてディスクＤのチャッキングが解除されると共に、搬送ローラ１２が逆方向（他方向）へ回転駆動されるため、ディスクＤは搬送ローラ１２とガイドトップ５との間に挟持されながらディスク挿入口１ａに向かって搬送される。この場合も両検知ピン２０がディスクＤの外周縁に当接して外側へ押し広げられることにより、まず、一方の検知レバー１６によって検知スイッチ１４がオン動作し、その後に他方の検知レバー１６によって検知スイッチ１５がオン動作し、検知スイッチ１５がオン動作したタイミングで前記モータを駆動停止することにより、搬送ローラ１２の回転が停止する。この時点でディスクＤの大部分はディスク挿入口１ａから突出する位置まで搬送されており、ユーザはディスクＤに指をかけることで機器本体から取り出すことができる。
【００３１】
これまでは正規のディスクＤをディスク挿入口１ａに対して中央付近から挿入した通常操作について説明したが、ディスクＤをディスク挿入口１ａの中央部に対して左右方向へずらして挿入したり、ディスクＤをディスク挿入口１ａに勢い良く挿入したり、あるいは非円形の異形状ディスクをディスク挿入口１ａに挿入した場合、検知ピン２０がディスクの挿入方向へ撓んでしまい、外側へ押し広げることができなくなる虞がある。
【００３２】
例えば、図９に示すように、ディスクＤをディスク挿入口１ａの右寄りに挿入すると、ディスクＤから図示右側の検知ピン２０に作用する挿入力の方向が検知レバー１６の回転中心（支軸１７）に近付くため、当該検知ピン２０に対してディスク挿入方向とほぼ平行な押圧力が作用し、図１０に示すように、この検知ピン２０は検知レバー１６側を固定端としてディスクＤの挿入方向へ撓み変形する。すなわち、図１１（ａ）に示すように、ディスクＤのイジェクト時に検知ピン２０はガイド部５ａの傾斜辺と隙間Ｇを存して対向しているが、図１１（ｂ）に示すように、検知ピン２０がディスクＤから所定以上の押圧力を受けて撓み変形すると、検知ピン２０の上端部（自由端）がガイド部５ａの傾斜辺に圧接される。その結果、検知ピン２０とガイド部５ａとの圧接箇所において、矢印Ａ方向に作用する圧接力の分力がガイド部５ａの傾斜辺に沿って矢印Ｂ方向に発生し、この矢印Ｂ方向の分力によって検知ピン２０がディスク挿入口１ａの幅方向中央から離れる方向（右方向）へ付勢されるため、検知ピン２０を支持する検知レバー１６は初期位置から動作位置に向かってスムーズに回転することとなる。
【００３３】
なお、ディスクＤをディスク挿入口１ａの左寄りに挿入した場合は、ディスクＤから図示左側の検知ピン２０に対して同様の押圧力が作用し、当該検知ピン２０がその後方に対向するガイド部５ａの傾斜辺に圧接される。その結果、図示左側の検知ピン２０がディスク挿入口１ａの幅方向中央から離れる方向（左方向）へ付勢されるため、この検知ピン２０を支持する検知レバー１６は初期位置から動作位置に向かってスムーズに回転することとなる。また、ディスクＤをディスク挿入口１ａに勢い良く挿入したり、星形等の異形状ディスクを挿入した場合も、検知ピン２０が撓み変形してガイド部５ａの傾斜辺に圧接されたとき、検知ピン２０に対してディスク挿入口１ａの幅方向中央から離れる方向への分力が付与されるため、検知レバー１６を初期位置から動作位置に向かってスムーズに移動させることができる。
【００３４】
以上説明したように、第１実施形態例に係るディスク装置では、機器本体の内部に検知ピン２０を挟んで枠体１の前面板と対向するガイド部５ａが設けられており、このガイド部５ａが検知ピン２０の自由端部と隙間Ｇを存して対向する傾斜辺として形成されているため、ディスクＤをディスク挿入口１ａの中央部に対して左右方向へずらして挿入したり、ディスクＤを勢い良くディスク挿入口１ａに挿入したとしても、ディスク挿入力を受けた検知ピン２０が撓み変形してガイド部５ａの傾斜辺に圧接されることにより、検知ピン２０に対してディスク挿入口１ａの幅方向中央から離れる方向への分力が付与される。したがって、この分力によって検知レバー１６が初期位置から動作位置に向かってスムーズに回転し、検知レバー１６に変形や破損が発生することを防止することができる。
【００３５】
また、この第１実施形態例では、ガイド部５ａがガイドトップ５に一体形成されており、このガイドトップ５はディスクＤを搬送ローラ１２との間で挟持する挟持部材として必要な部材であるため、わざわざ新たな部材を追加することなく、既設のガイドトップ５の形状を変更するだけでガイド部５ａを形成することができる。
【００３６】
なお、上記した第１実施形態例に係るディスク装置では、支軸１７を中心に回転可能な検知レバー１６に検知ピン２０が支持されているが、図１２〜図１４に示す第２実施形態例のように、検知ピン２０を左右方向へ移動可能なレバー部材に支持するようにしても良い。
【００３７】
すなわち、この第２実施形態例に係るディスク装置では、枠体１の前面板の内側に一対のレバー部材２１が左右方向へ移動可能に配設されており、これらレバー部材２１にそれぞれ検知ピン２０が片持ち梁状に支持されている。両レバー部材２１は引張りばね２２によって互いに近接する方向に付勢されており、ディスクＤが機器本体に装填されていないイジェクト状態において、両レバー部材２１は最も近接する初期位置に保持されるようになっている。両検知ピン２０は枠体１の前面板に開設されたディスク挿入口１ａの内側に位置しており、これら検知ピン２０のディスク挿入口１ａと反対側にはガイド部２３ａが配置されている。ガイド部２３ａは検知ピン２０の上端部（自由端部）と隙間を存して対向する傾斜辺として形成されており、このガイド部２３ａは枠体１の内部に取り付けられた適宜部材、例えばガイドトップ２３の前面側に設けられている。
【００３８】
このように構成された第２実施形態例でも、ディスクＤをディスク挿入口１ａの中央部に対して左右方向へずらして挿入したり、ディスクＤを勢い良くディスク挿入口１ａに挿入したとしても、ディスク挿入力を受けた検知ピン２０が撓み変形してガイド部２３ａの傾斜辺に圧接されることにより、検知ピン２０に対してディスク挿入口１ａの幅方向中央から離れる方向への分力が付与されため、この分力によってレバー部材２１を初期位置から動作位置に向かってスムーズにスライド移動させることができる。
【００３９】
また、上記した各実施形態例では、ディスク挿入口１ａの幅方向中央部を挟んで左右両側にそれぞれ検知ピンとガイド部を配置しているが、異物や異形ディスクの挿入検知等を必要としない場合は、左右いずれか一方のみに検知ピンとガイド部を配置するようにしても良い。
【符号の説明】
【００４０】
１  枠体（機器本体）
１ａ  ディスク挿入口
１ｂ  ガイド孔
２  ドライブユニット
４  トップシャーシ
５  ガイドトップ
５ａ  ガイド部
１１  ローラブラケット
１２  搬送ローラ
１４，１５  検知スイッチ
１６  検知レバー（レバー部材）
１６ａ  突起
１７  支軸
１８  引張りばね
２０  検知ピン
２１  レバー部材
２２  引張りばね
２３  ガイドトップ
２３ａ  ガイド部
Ｄ  ディスク
Ｇ  隙間
【図１】
2015115086.tif 000003
【図２】
2015115086.tif 000004
【図３】
2015115086.tif 000005
【図４】
2015115086.tif 000006
【図５】
2015115086.tif 000007
【図６】
2015115086.tif 000008
【図７】
2015115086.tif 000009
【図８】
2015115086.tif 000010
【図９】
2015115086.tif 000011
【図１０】
2015115086.tif 000012
【図１１】
2015115086.tif 000013
【図１２】
2015115086.tif 000014
【図１３】
2015115086.tif 000015
【図１４】
2015115086.tif 000016
【図１５】
2015115086.tif 000017